(57)【要約】      （修正有）【課題】屋根材の勾配とは異なる角度に太陽電池モジュールを傾斜させる際の作業効率性を向上させる太陽電池モジュール取付架台を提供する。【解決手段】第１の取付架台１４０は、屋根材又は支持金具に取り付けられる第１の基台部と、太陽電池モジュールＭが設置される第１の設置部と、第１の設置部を第１の基台部に対して第１の高さで支持する第１の支持部と、を有する。第２の取付架台１５０は、屋根材又は支持金具に取り付けられる第２の基台部と、太陽電池モジュールが設置される第２の設置部と、第２の設置部を第２の基台部に対して第２の高さで支持する第２の支持部と、を有する。第２の高さは第１の高さよりも高く設定され、第１の取付架台と第２の取付架台とは夫々一体に形成され、第１の支持部に対する第１の基台部の折曲方向と第１の設置部の折曲方向とは反対方向であり、第２の支持部に対する第２の基台部の折曲方向と第２の設置部の折曲方向とは反対方向である。【選択図】図１３
0003183479.tif 000002
【実用新案登録請求の範囲】
【請求項１】
第１の取付架台と第２の取付架台とを備え、
第１の取付架台は、
屋根材又は支持金具に取り付けられる第１の基台部と、
太陽電池モジュールが設置される第１の設置部と、
第１の設置部を第１の基台部に対して第１の高さで支持する第１の支持部と、
を有し、
第２の取付架台は、
屋根材又は支持金具に取り付けられる第２の基台部と、
太陽電池モジュールが設置される第２の設置部と、
第２の設置部を第２の基台部に対して第２の高さで支持する第２の支持部と、
を有し、
第２の高さは第１の高さよりも高く設定され、
第１の取付架台と第２の取付架台とは夫々一体に形成され、第１の支持部に対する第１の基台部の折曲方向と第１の設置部の折曲方向とは反対方向であり、第２の支持部に対する第２の基台部の折曲方向と第２の設置部の折曲方向とは反対方向である請求項１又は請求項２に記載の太陽電池モジュール取付架台。
【請求項２】
第１の設置部と第２の設置部とは夫々第１の基台部と第２の基台部とに対して所定の角度に傾斜して第１の支持部と第２の支持部とに支持される請求項１に記載の太陽電池モジュール取付架台。
【請求項３】
第１の設置部と第２の設置部とは夫々第１の支持部と第２の支持部との一端から外側に向かって折曲形成される請求項１又は請求項２に記載の太陽電池モジュール取付架台。
【請求項４】
第１の基台部と第２の基台部とは夫々第１の支持部と第２の支持部との他端から内側に向かって折曲形成される請求項１〜請求項３のいずれか１項に記載の太陽電池モジュール取付架台。
【請求項５】
第１の支持部及び／又は第２の支持部は太陽電池モジュールの接続コードを固定するための孔部を有する請求項１〜請求項４のいずれか１項に記載の太陽電池モジュール取付架台。
【考案の詳細な説明】
【技術分野】
【０００１】
本考案は、太陽電池モジュール取付架台に関する。
【背景技術】
【０００２】
近年、環境に対する配慮や発電政策の転換等により、公共施設や一般家庭などで太陽光を利用した発電が広く行われるようになっている。そして、太陽光を利用した発電を行うための太陽電池モジュールは屋根に設置されることが多い。太陽電池モジュールを屋根に設置する場合には、屋根から太陽電池モジュールが落下しないように太陽電池モジュール支持金具及び太陽電池モジュール取付架台を用いて太陽電池モジュールを屋根に固定する必要がある。
【０００３】
具体的な太陽電池モジュールの屋根への取付方法としては、まず最初に屋根に太陽電池モジュール支持金具（以下、「太陽電池モジュール支持金具」を「支持金具」ともいう。）を固定する。次に、屋根に固定した支持金具の上に太陽電池モジュール取付架台（以下、「太陽電池モジュール取付架台」を「取付架台」ともいう。）を固定する。そして取付架台の上に太陽電池モジュールを取り付けることで、太陽電池モジュールの屋根に対する取付が完了する。すなわち、太陽電池モジュールは支持金具及び取付架台を介して屋根に対して固定される。
【０００４】
取付架台は一般的に太陽電池モジュール用桟（以下、「太陽電池モジュール用桟」を「桟」ともいう。）を用いて形成される。取付架台は縦桟方式又は横桟方式によって組立られる。縦桟方式とは、支持金具の上部に屋根の傾斜方向（屋根の水上側から水下側方向）に延びる縦桟を所定間隔で固定した上で、それら縦桟の上部に屋根の傾斜方向に対して直角方向に延びる横桟を太陽電池モジュールの大きさに合わせた間隔で固定して井桁状の取付架台を形成する方式である。一方横桟方式とは、支持金具の上部に横桟を所定間隔で固定した上で、それら横桟の上部に縦桟を太陽電池モジュールの大きさに合わせた間隔で固定して井桁状の取付架台を形成する方式である（例えば特許文献１を参照。）。これによって複数の太陽電池モジュールを並設して太陽電池アレイを形成することができるため、屋根の利用可能スペースを有効に活用することができる。
【０００５】
ところで屋根の形状には様々な形状があるがその一つに陸屋根がある。陸屋根とは勾配のない平面状の屋根である。近年では外観（デザイン）上の観点から一般住宅で陸屋根が採用されることが増加している。そして陸屋根に対しても勾配のある屋根と同様に太陽電池モジュールの取り付けを要望されることがある。
【０００６】
太陽電池モジュールは一般的に効率的な発電のために傾斜して設置されることが多く、勾配のある屋根に設置される場合には、屋根の勾配を利用して太陽電池モジュールを設置することで太陽電池モジュールを傾斜させている。一方、太陽電池モジュールを陸屋根に設置する場合には屋根の勾配がないので、何らかの方法で太陽電池モジュールを傾斜させる必要があった。
【０００７】
その方法としては例えば井桁状の取付架台の上部において、太陽電池モジュールの長手方向又は短手方向の両端部付近に高さの異なるフレーム材を設置し、このフレーム材に太陽電池モジュールを取り付けることで太陽電池モジュールを傾斜させていた（特許文献２参照）。
【先行技術文献】
【特許文献】
【０００８】
【特許文献１】特開２０１０−２６１２５７号公報
【特許文献１】特開２０１２−２０２０５０号公報
【考案の概要】
【考案が解決しようとする課題】
【０００９】
上述した方法によれば太陽電池モジュールを傾斜させることは可能であるが、陸屋根に太陽電池モジュールを取り付ける度にフレーム材を増設しなければならない。特に太陽電池アレイは複数の太陽電池モジュールを並設して形成するので、各太陽電池モジュールを取り付ける度にフレーム材を増設するのは作業効率性が悪い。
【００１０】
本考案は上述した問題点に鑑み、屋根材の勾配とは異なる角度に太陽電池モジュールを傾斜させる際の作業効率性を向上させる太陽電池モジュール取付架台を提供することを目的とする。
【課題を解決するための手段】
【００１１】
上記目的を達成するために本考案の太陽電池モジュール取付架台は、第１の取付架台と第２の取付架台とを備え、第１の取付架台は、屋根材又は支持金具に取り付けられる第１の基台部と、太陽電池モジュールが設置される第１の設置部と、第１の設置部を第１の基台部に対して第１の高さで支持する第１の支持部と、を有し、第２の取付架台は、屋根材又は支持金具に取り付けられる第２の基台部と、太陽電池モジュールが設置される第２の設置部と、第２の設置部を第２の基台部に対して第２の高さで支持する第２の支持部と、を有し、第２の高さは第１の高さよりも高く設定され、第１の取付架台と第２の取付架台とは夫々一体に形成され、第１の支持部に対する第１の基台部の折曲方向と第１の設置部の折曲方向とは反対方向であり、第２の支持部に対する第２の基台部の折曲方向と第２の設置部の折曲方向とは反対方向であることを特徴としている。
【００１２】
また本考案は、上記構成の太陽電池モジュール取付架台において、第１の設置部と第２の設置部とは夫々第１の基台部と第２の基台部とに対して所定の角度に傾斜して第１の支持部と第２の支持部とに支持されることが望ましい。
【００１３】
また本考案は、上記構成の太陽電池モジュール取付架台において、第１の取付架台と第２の取付架台とは夫々一体に形成され、第１の支持部に対する第１の基台部の折曲方向と第１の設置部の折曲方向とは反対方向であり、第２の支持部に対する第２の基台部の折曲方向と第２の設置部の折曲方向とは反対方向であることが望ましい。
【００１４】
また本考案は、上記構成の太陽電池モジュール取付架台において、第１の設置部と第２の設置部とは夫々第１の支持部と第２の支持部との一端から外側に向かって折曲形成されることが望ましい。
【００１５】
また本考案は、上記構成の太陽電池モジュール取付架台において、第１の基台部と第２の基台部とは夫々第１の支持部と第２の支持部との他端から内側に向かって折曲形成されることが望ましい。
【００１６】
また本考案は、上記構成の太陽電池モジュール取付架台において、第１の支持部及び／又は第２の支持部は太陽電池モジュールの接続コードを固定するための孔部を有することが望ましい。
【考案の効果】
【００１７】
本考案によると、取付架台が第１の取付架台と第２の取付架台とを備え、第１の取付架台と第２の取付架台は高さが異なる。従って第１の取付架台と第２の取付架台の上に太陽電池モジュールを設置することで太陽電池モジュールの傾斜角度を太陽光発電に効率のよい角度とすることができる。また、第１の支持部に対する第１の基台部の折曲方向と第１の設置部の折曲方向とは反対方向であり、第２の支持部に対する第２の基台部の折曲方向と第２の設置部の折曲方向とは反対方向である。従って、第１の基台部及び第２の基台部を屋根材又は支持金具に取り付ける際に第１の設置部及び第２の設置部が邪魔にならず、取り付け作業を効率よく行うことができる。つまり、当該構成によれば太陽電池モジュールを屋根材の勾配とは異なる角度に傾斜させる場合に取付架台を設置する以外の作業を要することなく太陽電池モジュールを所望の角度に傾斜させることができ、太陽電池モジュールの取付作業の効率性が向上する。
【図面の簡単な説明】
【００１８】
【図１】屋根材の一例である折半屋根を示す図
【図２】折半屋根の構成部材の一例を示す図
【図３】折半屋根に支持金具を取り付けた状態を示す図
【図４】第１実施形態の取付架台の第１の取付架台を示す斜視図
【図５】第１実施形態の取付架台の第１の取付架台を示す左側面図
【図６】第１実施形態の取付架台の第１の取付架台を示す上面図
【図７】第１実施形態の取付架台の第１の取付架台を示す正面図
【図８】第１実施形態の取付架台の第２の取付架台を示す斜視図
【図９】第１実施形態の取付架台の第２の取付架台を示す左側面図
【図１０】第１実施形態の取付架台の第２の取付架台を示す上面図
【図１１】第１実施形態の取付架台の第２の取付架台を示す背面図
【図１２】取付架台に太陽電池モジュールを設置した状態を示す第１の図
【図１３】取付架台に太陽電池モジュールを設置した状態を示す第２の図
【図１４】取付架台に太陽電池モジュールを設置した状態を示す第３の図
【図１５】取付架台に太陽電池モジュールを設置した状態を示す第４の図
【図１６】取付架台に太陽電池モジュールを設置した状態を示す第５の図
【図１７】接続コード固定具の一例を示す図
【考案を実施するための形態】
【００１９】
＜第１実施形態＞
本実施形態の取付架台について説明する前に屋根材及び支持金具について説明する。本実施形態では屋根材として勾配のない陸屋根の一例である折半屋根を使用して説明する。折半屋根１００は図１に示すように複数の谷部１０１と複数の山部１０２が交互に形成される屋根材である。折半屋根は強度性に優れた金属製の折半屋根本体１１０（図２参照）を複数個並設して形成され、低コストで強度に優れた屋根材となる。従って、中型建物や大型建物のみならず、一般家庭でも屋根材として採用されることがある。
【００２０】
なお、後述するように本実施形態の折半屋根１００は嵌合方式（折半屋根本体１１０同士を嵌合して固定する方式）の折半屋根であるが、他の方式（重ね式、ハゼ式等）で折半屋根１１０同士が固定された折半屋根であってもよい。
【００２１】
折半屋根本体１１０は折半屋根１００の谷部１０１を構成する底部１１１、折半屋根１００の山部１０２を構成する第１の頂部１１２及び第２の頂部１１３と底部１１１の短手方向の両端から上方に向かうにつれて広がるように形成されて第１の頂部１１２及び第２の頂部１１３を夫々底部１１１に対して所定の高さで支持する第１の傾斜部１１４及び第２の傾斜部１１５とを備える。
【００２２】
第１の頂部１１２及び第２の頂部１１３には夫々第１の嵌合部１１６及び第２の嵌合部１１７が形成される。第１の嵌合部１１６は第２の嵌合部１１７の外側から第２の嵌合部１１７に嵌め込まれて固定される。嵌合する際には並設された一方の折半屋根本体１１０の第１の頂部１１２の第１の嵌合部１１６と他方の折半屋根本体１１０の第２の頂部１１３の第２の嵌合部１１７が嵌合される（本明細書で第１の嵌合部１１６と第２の嵌合部１１７を嵌合するとした場合に各嵌合部は並設された２個の折半屋根本体１１０の一方の第１の嵌合部１１６と他方の第２の嵌合部１１７を嵌合するという意味である）。このような嵌合方式では折半屋根本体１１０同士を固定する場合に別途固定具（ボルトやナット等）が不要であるため折半屋根の強度や固定性を損なうことなく美観に優れた折半屋根となる。
【００２３】
このような折半屋根１００の上部に取付架台を配して太陽電池モジュールを設置するが、折半屋根１００の上部には第１の嵌合部１１６及び第２の嵌合部１１７の嵌合部分（図３に示す嵌合部分１１８）が存在していることにより折半屋根１００に対して直接安定的に取付架台を配することが困難である。そこで本実施形態では図３に示すように支持金具１２０を嵌合部分１８０に取り付け、その上に取付架台を取り付ける。但し、本実施形態のように嵌合部分１８０が存在していない等、屋根材の上に直接安定的に取付架台を配することが可能である屋根材では支持金具１２０を介さずに屋根材に取付架台を配することとしてもよい。
【００２４】
支持金具１２０は嵌合部分１８０に取り付けられる基台部１２１、取付架台を載置する載置手段を構成するボルト体１２２とナット体１２３と座金１２４と載置部１２５とを備える。
【００２５】
基台部１２１は締付ボルト１２１ａと締付ナット１２１ｂと一対の挟持部１２１ｃを有する。締付ボルト１２１ａは両挟持部１２１ｃ間に架設される。そして締付ボルト１２１ａが両挟持部１２１ｃに架設された状態で締付ボルト１２１ａに螺合された締付ナット１２１ｂが締付されることで両挟持部１２１ｃの対向間隔が幅狭となる。両挟持部１２１ｃ間が幅狭になるに従って挟持部１２１ｃは嵌合部１８１を左右両側（図３の紙面に対して左右方向）から強く挟み込むことになる。これによって基台部１２１が嵌合部分１８０に固定的に取り付けられる。
【００２６】
一対の挟持部１２１ｃにおいて一方（図３で紙面に向かって左側の挟持部１２１ｃ）は上面板１２１１を有するのに対して他方（図３で紙面に向かって左側の挟持部１２１ｃ）は上面板を有さない。そして上面板１２１１の略中央部にはボルト体１２２を挿通可能な孔部（不図示）が形成されて上面板の下方から上方に向けてボルト体１２２が挿通される。
【００２７】
座金１２４はボルト体１２２が挟持部１２１ｃの上面板１２１１の孔部に挿通されている状態で、ボルト体１２２の先端部から環装される。ナット体１２３は座金１２４がボルト体１２２に環装された状態でボルト体１２２の先端部から螺合され、ボルト体１２２の頭部（不図示）と共に挟持部１２１ｃの上面板１２１１を挟持する。これによってボルト体１２２の頭部が上面板１２１１の下面に接触した状態で上面板１２１１に取着されて上方への抜脱及び下方への脱落が防止される。
【００２８】
載置部１２５は略中央部にボルト体１２２を挿通可能な孔部（不図示）がされており、載置部１２５の孔部はナット体１２３がボルト体１２２に螺合された状態でボルト体１２２を挿通させる。本実施形態の取付架台は載置部１２５の孔部をボルト体１２２に挿通させた状態で載置部１２５の上に設置される。
【００２９】
以下、本実施形態の取付架台１３０について図４〜図１１を参照して説明する。本実施形態の取付架台１３０は第１の取付架台１４０と第２の取付架台１５０とから構成される。図４は本実施形態の第１の取付架台の斜視図である。図５は本実施形態の第１の取付架台の左側面図である。図６は本実施形態の第１の取付架台の上面図である。図７は本実施形態の第１の取付架台の正面図である。図８は本実施形態の第２の取付架台の斜視図である。図９は本実施形態の第２の取付架台の左側面図である。図１０は本実施形態の第２の取付架台の上面図である。図１１は本実施形態の第２の取付架台の背面図である。
【００３０】
第１の取付架台１４０は支持金具１２０の載置部１２５に取り付けられる第１の基台部１４１、太陽電池モジュールが設置される第１の設置部１４２及び第１の設置部１４２を第１の基台部１４１に対して第１の高さ（図５等で示す高さＨ１）で支持する第１の支持部１４３を備える。
【００３１】
本明細書において第１の高さ及び後述する第２の高さとは基台部と支持部との境目に対する、支持部と設置部との境目の高さであり、本実施形態で第１の支持部１４３及び後述する第２の支持部１５３は第１の基台部１４１、第２の基台部１５１に対して垂直方向に直線状に延びることから第１の支持部１４３、第２の支持部１５３の高さ方向の長さに等しい。
【００３２】
第１の基台部１４１、第１の設置部１４２及び第１の支持部１４３は板金部材により一体に成形される。板金部材としては特に制限されるものではないが、例えばザムが好適に使用される。板金部材の板厚は特に限られるものではなく、板厚を厚くすることで第１の取付架台１４０の強度が増す。例えば板金部材の板厚は１ｍｍ〜２ｍｍ程度のものが使用される。
【００３３】
第１の基台部１４１は図６に示すように上面視略楕円弧状の孔部１４１ａ〜１４１ｃが形成される。孔部１４１ａ〜１４１ｃには載置部１２５の孔部を挿通したボルト体１２２が挿通可能に形成される。孔部１４１ａ〜１４１ｃを上面視略楕円弧状とすることでボルト体１２２の位置に多少の誤差が生じた場合であっても孔部１４１ａ〜１４１ｃに挿通することが可能である。孔部１４１ａ〜１４１ｃにボルト体１２２が挿通された状態でボルト体１２２の上端からナット体（図１２に示すナット体１６０）を螺合することで第１の基台部１４１が載置部１２５に固定的に取り付けられる。
【００３４】
なお、孔部１４１ａ〜１４１ｃの形成位置や大きさは適宜変更可能であり、また孔部の数は３個に限られるものではなく任意の個数とすればよい。第１の基台部１４１の横幅Ｗ１は太陽電池モジュールの大きさに合わせて適宜変更すればよく、本実施形態では第１の設置部１４２、第１の支持部１４３の横幅も第１の基台部１４１の横幅と同じ長さに設定される。横幅Ｗ１は例えば１２０ｃｍ〜１２５ｃｍ程度に設定される。
【００３５】
第１の基台部１４１の奥行き幅Ｄ１は載置部１２５と第１の基台部１４１との接触面積を規定するものである。接触面積を大きくすることで載置部１２５に対する取付架台１３０の取り付けが安定する。本実施形態において載置部１２５は上面視で一辺５ｃｍ〜６ｃｍ程度の略正方形状であるため、第１の基台部１４１の奥行き幅Ｄ１も同様に５ｃｍ〜６ｃｍ程度に設定される。
【００３６】
第１の基台部１４１を基準とすると、第１の支持部１４３は第１の基台部１４１の短手方向の一端を上方に略直角に折り曲げて形成される。上述したように第１の支持部１４３は第１の設置部１４２を第１の基台部１４１に対して第１の高さＨ１で支持する。第１の支持部１４３は後述する第２の支持部１５３と共に太陽電池モジュールの傾斜角度を規定するため、第１の支持部１４３の高さＨ１は太陽電池モジュールの傾斜角度、第２の支持部１５３の高さに応じて適宜設定することとすればよい。本実施形態で第１の支持部１４３の高さＨ１は１８ｃｍ〜２５ｃｍ程度に設定される。
【００３７】
第１の支持部１４３の左部及び右部には夫々比較的小さな一対の孔部１４３ａ、１４３ｂが形成される。当該孔部１４３ａ、１４３ｂは結束バンドや紐等の固定部材を挿通可能である。例えば結束バンドであれば、結束バンドの先端を一方の孔部１４３ａに挿通した後にそのまま他方の孔部１４３ａを挿通させることで結束することができる。孔部１４３ａ、１４３ｂは太陽電池モジュールが備える接続コードが屋根材に向かって垂れ下がったり、屋根材に接触することを防ぐために設けられ、太陽電池モジュールの接続コードを第１の支持部１４３に押し付けた状態で結束バンドを孔部１４３ａ、１４３ｂに挿通させることで、太陽電池モジュールの接続コードが第１の支持部１４３に固定される。一対の孔部１４３ａ、１４３ｂの形成位置、大きさや個数は適宜変更可能である。
【００３８】
なお、本実施形態では一対の孔部１４３ａ、１４３ｂを備えることとしているが、単一の孔部のみを有することとしてもよい。例えば図１７に示すような接続コード固定具を挿通可能な単一の孔部を有することとすればよい。接続コード固定具３００は接続コード保持部３０１、孔部に挿通される第１の挿通部３０２及び第２の挿通部３０３を備える。第１の挿通部３０２及び第２の挿通部３０３はその先端に外側に向かって突出した突出片３０２ａ、３０３ａを備える。また、突出片３０２ａ及び３０３ａは先端に向かうにつれて先細りするテーパ状に形成される。
【００３９】
第１の挿通部３０２及び第２の挿通部３０３は弾力性のある部材からなり、孔部を挿通する際には突出片３０２ａ、３０３ａが孔部の縁に接触することで、孔部の内側方向に向かって変形する。その後、突出片３０２ａ及び３０３ａが孔部を挿通すると、第１の挿通部３０２及び第２の挿通部３０３を孔部の内側方向に変形する力がなくなり、元の形状に戻ることで突出片３０２ａ及び３０３ａが孔部の縁に係合して挿脱困難に構成される。接続コード保持部３０１は例えば結束バンドのように構成され、接続コードを保持した後は取り外し困難に構成される。
【００４０】
第１の支持部１４３を基準とすると、第１の設置部１４２は第１の支持部１４３の短手方向の一端を右方且つ鈍角に折り曲げて形成される。すなわち第１の設置部１４２は第１の基台部１４１に対して所定の角度に傾斜した状態で第１の支持部１４３に支持される。第１の設置部１４２の傾斜角度は太陽電池モジュールを傾斜させたい角度と略同角度に設定される。一般的に太陽電池モジュールは２０°〜３０°に傾斜させることが望ましいため、傾斜角度θ1が２０°〜３０°になるように折り曲げられる。つまり、第１の設置部１４２は第１の支持部１４３の短手方向の一端を右方に１５０°〜１６０°折り曲げて形成される。
【００４１】
第１の設置部１４２の左部及び右部には太陽電池モジュール固定用の孔部１４２ａ、１４２ｂが形成される。第１の設置部１４２に太陽電池モジュールが設置された状態で太陽電池モジュールに形成された孔部と第１の設置部１４２の孔部１４２ａ又は１４２ｂにボルト体を挿通して、ボルト体の先端からナット体を螺合することで太陽電池モジュールが第１の設置部１４２に固定される。つまり孔部１４２ａ、１４２ｂは太陽電池モジュールに形成された孔部の位置、大きさ、個数に対応する位置、大きさ、個数に形成される。
【００４２】
第１の設置部１４２の奥行き幅Ｄ２は太陽電池モジュールと第１の設置部１４２の接触面積規定するものである。接触面積を大きくすることで第１の設置部１４２に対する太陽電池モジュールの取り付けが安定する。但し、一般的に太陽電池モジュールに形成される孔部は太陽電池モジュールの枠体に形成される。この場合、第１の設置部１４２と接触するのは太陽電池モジュールの枠体であるが、枠体の幅は比較的短く設定されることが多い。従って第１の設置部１４２の奥行き幅Ｄ２は太陽電池モジュールの枠体の幅と同等かそれ以上の幅とすればよく、本実施形態では５ｃｍ〜６ｃｍに設定される。
【００４３】
第２の取付架台１５０は第１の取付架台１４０と同様に支持金具１２０の載置部１２５に取り付けられる第２の基台部１５１、太陽電池モジュールが設置される第２の設置部１５２及び第２の設置部１５２を第１の基台部１５１に対して第２の高さ（図８等で示す高さＨ２）で支持する第２の支持部１５３を備える。
【００４４】
第２の基台部１５１、第２の設置部１５２及び第２の支持部１５３は板金部材により一体に成形される。板金部材としては特に制限されるものではないが、例えばザムが好適に使用される。板金部材の板厚は特に限られるものではなく、板厚を厚くすることで第２の取付架台１５０の強度が増す。例えば板金部材の板厚は１ｍｍ〜２ｍｍ程度のものが使用される。
【００４５】
第２の基台部１５１は図８に示すように上面視略楕円弧状の孔部１５１ａ〜１５１ｃが形成される。孔部１５１ａ〜１５１ｃには載置部１２５の孔部を挿通したボルト体１２２が挿通可能に形成される。孔部１５１ａ〜１５１ｃを上面視略楕円弧状とすることでボルト体１２２の位置に多少の誤差が生じた場合であっても孔部１５１ａ〜１５１ｃに挿通することが可能である。孔部１５１ａ〜１５１ｃにボルト体１２２が挿通された状態でボルト体１２２の上端からナット体（図１２に示すナット体１６０）を螺合することで第１の基台部１５１が載置部１２５に固定的に取り付けられる。
【００４６】
なお、孔部１５１ａ〜１５１ｃの形成位置や大きさは適宜変更可能であり、また孔部の数は３個に限られるものではなく任意の個数とすればよい。第２の基台部１５１の横幅Ｗ２は太陽電池モジュールの大きさに合わせて適宜変更すればよく、本実施形態では第２の設置部１５２、第２の支持部１５３の横幅も第２の基台部１５１の横幅と同じ長さに設定される。横幅Ｗ２は上述した横幅Ｗ１と同様に１２０ｃｍ〜１２５ｃｍ程度に設定される。
【００４７】
第２の基台部１５１の奥行き幅Ｄ３は載置部１２５と第２の基台部１５１との接触面積を規定するものである。接触面積を大きくすることで載置部１２５に対する取付架台１３０の取り付けが安定する。本実施形態において載置部１２５は上面視で一辺５ｃｍ〜６ｃｍ程度の略正方形状であるため、第２の基台部１５１の奥行き幅Ｄ２も同様に５ｃｍ〜６ｃｍ程度に設定される。
【００４８】
第２の基台部１５１を基準とすると、第２の支持部１５３は第２の基台部１５１の短手方向の一端を上方に略直角に折り曲げて形成される。上述したように第２の支持部１５３は第２の設置部１５２を第２の基台部１５１に対して第２の高さＨ２で支持する。第２の支持部１５３は上述した第１の支持部１４３と共に太陽電池モジュールの傾斜角度を規定するため、第２の支持部１５３の高さＨ２は太陽電池モジュールの傾斜角度、第１の支持部１４３の高さに応じて適宜設定することとすればよい。本実施形態で第２の支持部１５３の高さＨ１は１８ｃｍ〜２５ｃｍ程度に設定される。
【００４９】
第２の支持部１５３の左部及び右部には夫々比較的小さな一対の孔部１５３ａ、１５３ｂが形成される。当該孔部１５３ａ、１５３ｂは結束バンドや紐等の固定部材を挿通可能である。例えば結束バンドであれば、結束バンドの先端を一方の孔部１５３ａに挿通した後にそのまま他方の孔部１５３ａを挿通させることで結束することができる。孔部１５３ａ、１５３ｂは太陽電池モジュールが備える接続コードが屋根材に向かって垂れ下がったり、屋根材に接触することを防ぐために設けられ、太陽電池モジュールの接続コードを第２の支持部１５３に押し付けた状態で結束バンドを孔部１５３ａ、１５３ｂに挿通させることで、太陽電池モジュールの接続コードが第２の支持部１５３に固定される。一対の孔部１５３ａ、１５３ｂの形成位置、大きさや個数は適宜変更可能である。
【００５０】
第２の支持部１５３を基準とすると、第２の設置部１５２は第２の支持部１５３の短手方向の一端を左方且つ鋭角に折り曲げて形成される。すなわち第２の設置部１５２は第２の基台部１５１に対して所定の角度に傾斜した状態で第２の支持部１５３に支持される。第２の設置部１５２の傾斜角度は太陽電池モジュールを傾斜させたい角度と略同角度に設定される。一般的に太陽電池モジュールは２０°〜３０°に傾斜させることが望ましいため、傾斜角度θ2が２０°〜３０°になるように折り曲げられる。つまり、第２の設置部１５２は第２の支持部１５３の短手方向の一端を左方に２０°〜３０°折り曲げて形成される。
【００５１】
第２の設置部１５２の左部及び右部には太陽電池モジュール固定用の孔部１５２ａ、１５２ｂが形成される。第２の設置部１５２に太陽電池モジュールが設置された状態で太陽電池モジュールに形成された孔部と第２の設置部１５２の孔部１５２ａ又は１５２ｂにボルト体を挿通して、ボルト体の先端からナット体を螺合することで太陽電池モジュールが第２の設置部１５２に固定される。つまり孔部１５２ａ、１５２ｂは太陽電池モジュールに形成された孔部の位置、大きさ、個数に対応する位置、大きさ、個数に形成される。
【００５２】
第２の設置部１５２の奥行き幅Ｄ４は太陽電池モジュールと第２の設置部１５２の接触面積規定するものである。接触面積を大きくすることで第１の設置部１５２に対する太陽電池モジュールの取り付けが安定する。但し、一般的に太陽電池モジュールに形成される孔部は太陽電池モジュールの枠体に形成される。この場合、第２の設置部１５２と接触するのは太陽電池モジュールの枠体であるが、枠体の幅は比較的短く設定されることが多い。従って第２の設置部１５２の奥行き幅Ｄ４は太陽電池モジュールの枠体の幅と同等かそれ以上の幅とすればよく、本実施形態では５ｃｍ〜６ｃｍに設定される。
【００５３】
次に図１２を参照して実際の使用状態について説明する。図１２は本実施形態の取付架台１３０に太陽電池モジュールＭを設置した状態を示す模式図である。同一の太陽電池モジュールＭを設置するために使用される第１の取付架台１４０と第２の取付架台１５０は所定の間隔をあけて並設される。上述した第１の高さＨ１と第２の高さＨ２の高低差及び第１の取付架台１４０と第２の取付架台１５０とを並設する間隔は、太陽電池モジュールＭの長さと太陽電池モジュールの傾斜角度に基づいて算出することができる。
【００５４】
なお、その際、側面視（図１２に示す状態）において第１の設置部１４２又は第２の設置部１５２の開放端の略延長線上に第２の設置部１５２又は第１の設置部１４２が存在するように配される。当該構成とすることにより、第１の設置部１４２及び第２の設置部１５２に太陽電池モジュールＭを取り付けた際の太陽電池モジュールの傾斜角度と両設置部の傾斜角度とを略同一とした上で太陽電池モジュールの傾斜角度を所望の角度にすることができる。
【００５５】
第１の高さＨ１と第２の高さＨ２の高低差及び同一の太陽電池モジュールＭを設置するために使用される第１の取付架台１４０と第２の取付架台１５０の並設間隔について図１２を参照して太陽電池モジュールの長さをＸ1ｃｍ、太陽電池モジュールを第１の設置部１４２及び第２の設置部１５２に設置した際の余剰部の長さをＸ2、太陽電池モジュールＭの傾斜角度を屋根材に対してθ3傾斜させる場合を例に説明する。本例によれば第１の高さＨ１と第２の高さＨ２の高低差Ｈｄ及び並設間隔Ｄiについて以下の式が成立する。
Ｈｄ＝（Ｘ1＋２Ｘ2）×ｓｉｎθ3（ｃｍ）・・・（１）
Ｄｉ＝（Ｘ1＋２Ｘ2）×ｃｏｓθ3（ｃｍ）・・・（２）
【００５６】
なお、２以上の太陽電池モジュールが設置される場合において、１の太陽電池モジュールを設置するために使用される第１の取付架台１４０と他の太陽電池モジュールを設置するために使用される第２の取付架台１５０との並設間隔は発電を保証する太陽電池モジュールに対する太陽光の入射角度に応じて適宜設定すればよい。例えば第１の高さＨ１と第２の高さＨ２の高低差Ｈｄ、又は、第２の高さＨ２の１倍〜３倍程度の間隔をあけて並設される。
【００５７】
第１の支持部１４３及び第２の支持部１５３を基準にすると、第１の設置部１４２は第１の支持部１４３の短手方向の一端を右方且つ鈍角に折り曲げて形成され、第２の設置部１５２は第２の支持部１５３の短手方向の一端を左方且つ鋭角に折り曲げて形成される。言い換えれば第１の設置部１４２と第２の設置部１５２とは夫々第１の支持部１４３と第２の支持部１５３との一端から内側（他方の設置部又は支持部の方向）に向かって折曲形成される。
【００５８】
また、第１の支持部１４３及び第２の支持部１５３を基準にすると、第１の基台部１４１は第１の支持部１４３の短手方向の他端を左方且つ略直角に折り曲げて形成され、第２の基台部１５１は第２の支持部１５３の短手方向の他端を右方且つ略直角に折り曲げて形成される。言い換えれば第１の基台部１４１と第２の基台部１５１とは夫々第１の支持部１４３と第２の支持部１５３との他端から外側（他方の設置部又は支持部の方向とは逆方向）に向かって折曲形成される。
【００５９】
つまり第１の支持部１４３を基準とすると第１の取付架台１４０において第１の基台部１４１と第１の設置部１４２とは反対方向に折り曲がり形成され、第２の支持部１５３を基準とすると第２の取付架台１５０において第２の基台部１５１と第２の設置部１５２は反対方向に折り曲がり形成される。当該構成によれば第１の取付架台１４０及び第２の取付架台１５０を載置部１２５に固定するためにボルト体１２２にナット体１６０を螺合する際に第１の設置部１４２及び第２の設置部１５２が邪魔にならないので作業性が向上する。
【００６０】
本実施形態によれば陸屋根に太陽電池モジュールを設置する際に、太陽電池モジュールを容易に所望の角度に傾斜した状態で設置することができる。すなわち本実施形態の取付架台は第１の取付架台と第２の取付架台とを備え、第１の取付架台と第２の取付架台は高さが異なる。従って第１の取付架台と第２の取付架台の上に太陽電池モジュールを設置することで太陽電池モジュールの傾斜角度を太陽光発電に効率のよい角度とすることができる。その際、第１の支持部に対する第１の基台部の折曲方向と第１の設置部の折曲方向とは反対方向であり、第２の支持部に対する第２の基台部の折曲方向と第２の設置部の折曲方向とは反対方向である。従って第１の基台部及び第２の基台部を載置部に固定する際の取り付け作業を効率よく行うことができる。
【００６１】
また、第１の取付架台及び第２の取付架台は太陽電池モジュールを設置する設置部が所定の角度に傾斜している。従って第１の取付架台と第２の取付架台の高低差に基づいて生じる角度差と設置部の傾斜角度とを略同一の角度とすることで取付架台に安定的に太陽電池モジュールを設置することができる。
【００６２】
また、取付架台は太陽電池モジュールの接続コードを固定するための孔部を有するので、接続コードが屋根材に向かって垂れ下がったり、屋根材に接触したりすることを防ぐことができる。
【００６３】
＜第２実施形態＞
第１実施形態では第１の設置部１４２は第１の支持部１４３の短手方向の一端を右方且つ鈍角に折り曲げて形成し、第２の設置部１５２は第２の支持部１５３の短手方向の一端を左方且つ鋭角に折り曲げて形成した。当該構成によれば陸屋根に対して太陽電池モジュールを所望の角度に容易に設置することができるが、太陽電池モジュールは一般的に屋外に設置されることが多い。
【００６４】
従って太陽電池モジュール及び太陽電池モジュールを屋根材に取り付けるための支持金具及び取付架台は風雨に晒されることになる。風雨は錆等の劣化の原因となるため特に載置部１２５に対して第１の取付架台１４０及び第２の取付架台１５０を固定する部材（ボルト体１２２及びナット体１６０）はできる限り風雨に直接晒さないようにすることが望ましい。
【００６５】
そこで本実施形態では図１３に示す構成とする。すなわち、第１の支持部１４３及び第２の支持部１５３を基準にすると、第１の設置部１４２は第１の支持部１４３の短手方向の一端を左方且つ鋭角に折り曲げて形成され、第２の設置部１５２は第２の支持部１５３の短手方向の一端を右方且つ鈍角に折り曲げて形成される。言い換えれば第１の設置部１４２と第２の設置部１５２とは夫々第１の支持部１４３と第２の支持部１５３との一端から外側に向かって折曲形成される。
【００６６】
また、第１の支持部１４３及び第２の支持部１５３を基準にすると、第１の基台部１４１は第１の支持部１４３の短手方向の他端を右方且つ略直角に折り曲げて形成され、第２の基台部１５１は第２の支持部１５３の短手方向の他端を左方且つ略直角に折り曲げて形成される。言い換えれば第１の基台部１４１と第２の基台部１５１とは夫々第１の支持部１４３と第２の支持部１５３との他端から内側に向かって折曲形成される。
【００６７】
本実施形態によれば第１実施形態と同様の効果を奏する。加えて、上面視でボルト体１２２及びナット体１６０が太陽電池モジュールの下部に位置するためボルト体１２２及びナット体１６０が風雨に直接晒されにくい。当該構成によりボルト体１２２及びナット体１６０の劣化が防がれる。
【００６８】
＜その他＞
上記第１実施形態及び第２実施形態では第１の支持部１４３及び第２の支持部１５３を基準とした場合に、第１の設置部１４２と第２の設置部１５２とは夫々第１の支持部１４３と第２の支持部１５３との一端から共に外側又は内側に向かって折曲形成され、第１の基台部１４１と第２の基台部１５１は第１の支持部１４３と第２の支持部１５３との他端から共に内側又は外側に向かって折曲形成されることとした。
【００６９】
しかしながら当該構成に限られるものではなく、第１の支持部１４３及び第２の支持部１５３を基準とした場合に、第１の設置部１４２と第２の設置部１５２の一方は第１の支持部１４３又は第２の支持部１５３の一端から内側に向かって折曲形成され、他方は第１の支持部１４３又は第２の支持部１５３の一端から外側に向かって折曲形成されてもよい。また、同様に
第１の基台部１４１と第２の基台部１５１の一方は第１の支持部１４３又は第２の支持部１５３の他端から内側に向かって折曲形成され、他方は第１の支持部１４３又は第２の支持部１５３の一端から外側に向かって折曲形成されてもよい（図１４及び図１５参照）。
【００７０】
上記第１実施形態及び第２実施形態では本考案の取付架台に関して、陸屋根に太陽電池モジュールを傾斜して設置するための取付架台として説明したが、使用用途はこれに限られるものではない。例えば勾配が急峻（３０°を超えるもの）な屋根において太陽電池モジュールを２０°〜３０°にするために使用することも可能である。すなわち、図１６に示すように勾配の急な屋根材２００において水下側に高さの高い第１の取付架台１４０を配し、水上側に高さの低い第２の取付架台１５０を配することで取付架台１３０に太陽電池モジュールを設置した場合の太陽電池モジュールの傾斜角度を屋根材の勾配よりも緩い角度とすることができる。
【産業上の利用可能性】
【００７１】
本考案は太陽電池モジュール取付架台に利用することができる。
【符号の説明】
【００７２】
１００    折半屋根
１０１    谷部
１０２    山部
１１０    折半屋根本体
１１１    底部
１１２、１１３    頂部
１１４、１１５    傾斜部
１１６、１１７    嵌合部
１２０    支持金具
１２１    基台部
１２２    ボルト体
１２３    ナット体
１２４    座金
１２５    載置部
１３０    取付架台
１４０    第１の取付架台
１４１    第１の基台部
１４２    第１の設置部
１４３    第１の支持部
１５０    第２の取付架台
１５１    第２の基台部
１５２    第２の設置部
１５３    第２の支持部
【図１】
0003183479.tif 000003
【図２】
0003183479.tif 000004
【図３】
0003183479.tif 000005
【図４】
0003183479.tif 000006
【図５】
0003183479.tif 000007
【図６】
0003183479.tif 000008
【図７】
0003183479.tif 000009
【図８】
0003183479.tif 000010
【図９】
0003183479.tif 000011
【図１０】
0003183479.tif 000012
【図１１】
0003183479.tif 000013
【図１２】
0003183479.tif 000014
【図１３】
0003183479.tif 000015
【図１４】
0003183479.tif 000016
【図１５】
0003183479.tif 000017
【図１６】
0003183479.tif 000018
【図１７】
0003183479.tif 000019
【手続補正書】
【提出日】平成25年3月13日(2013.3.13)
【手続補正１】
【補正対象書類名】実用新案登録請求の範囲
【補正対象項目名】全文
【補正方法】変更
【補正の内容】
【実用新案登録請求の範囲】
【請求項１】
第１の取付架台と第２の取付架台とを備え、
第１の取付架台は、
屋根材又は支持金具に取り付けられる第１の基台部と、
太陽電池モジュールが設置される第１の設置部と、
第１の設置部を第１の基台部に対して第１の高さで支持する第１の支持部と、
を有し、
第２の取付架台は、
屋根材又は支持金具に取り付けられる第２の基台部と、
太陽電池モジュールが設置される第２の設置部と、
第２の設置部を第２の基台部に対して第２の高さで支持する第２の支持部と、
を有し、
第２の高さは第１の高さよりも高く設定され、
第１の取付架台と第２の取付架台とは夫々一体に形成され、第１の支持部に対する第１の基台部の折曲方向と第１の設置部の折曲方向とは反対方向であり、第２の支持部に対する第２の基台部の折曲方向と第２の設置部の折曲方向とは反対方向である太陽電池モジュール取付架台。
【請求項２】
第１の設置部と第２の設置部とは夫々第１の基台部と第２の基台部とに対して所定の角度に傾斜して第１の支持部と第２の支持部とに支持される請求項１に記載の太陽電池モジュール取付架台。
【請求項３】
第１の設置部と第２の設置部とは夫々第１の支持部と第２の支持部との一端から外側に向かって折曲形成される請求項１又は請求項２に記載の太陽電池モジュール取付架台。
【請求項４】
第１の基台部と第２の基台部とは夫々第１の支持部と第２の支持部との他端から内側に向かって折曲形成される請求項１〜請求項３のいずれか１項に記載の太陽電池モジュール取付架台。
【請求項５】
第１の支持部及び／又は第２の支持部は太陽電池モジュールの接続コードを固定するための孔部を有する請求項１〜請求項４のいずれか１項に記載の太陽電池モジュール取付架台